(57)【要約】【課題】  温度センサにおいて、回路基板上の電子部品から離間して実装されても高精度に該電子部品の温度測定が可能にすること。【解決手段】  回路基板上の電子部品から離間して回路基板上に実装され電子部品の温度を測定する温度センサ１であって、チップ状の基体３と、該基体３の表面にサーミスタ薄膜４で別々に形成された基準部５及び検出部６と、基体３に形成され基準部５及び検出部６にそれぞれ接続された複数の電極９と、を備え、基準部５が、遮光膜７で覆われ、検出部６が、回路基板上に実装された状態で電子部品から放射される赤外線を透明部材８を介して検出可能とされている。【選択図】図１
2010197162.tif 000002
【特許請求の範囲】
【請求項１】
回路基板上の電子部品から離間して前記回路基板上に実装され前記電子部品の温度を測定する温度センサであって、
チップ状の基体と、
該基体の表面にサーミスタ薄膜で別々に形成された基準部及び検出部と、
前記基体に形成され前記基準部及び前記検出部にそれぞれ接続された複数の電極と、を備え、
前記基準部が、遮光膜で覆われ、
前記検出部が、前記回路基板上に実装された状態で前記電子部品から放射される赤外線を直接又は光学部材を介して検出可能とされていることを特徴とする温度センサ。
【請求項２】
請求項１に記載の温度センサにおいて、
前記基体の下面が前記回路基板上への実装面とされていると共に前記基体の上面に前記基準部と前記検出部とが形成され、
前記検出部の表面に、前記光学部材として透明部材が固定され、
該透明部材の露出表面のうち、一つの側面以外が遮光膜で覆われていることを特徴とする温度センサ。
【請求項３】
請求項１に記載の温度センサにおいて、
前記基体の下面が前記回路基板上への実装面とされていると共に前記基体の一つの側面に前記基準部と前記検出部とが形成されていることを特徴とする温度センサ。
【発明の詳細な説明】
【技術分野】
【０００１】
本発明は、回路基板上の電子部品の温度を非接触で測定可能な温度センサに関する。
【背景技術】
【０００２】
一般に、回路基板上に実装された電子部品のうち、発熱するＩＣやパワートランジスタ等の温度を測定して、当該電子部品の温度管理が行われている。
このような回路基板上の電子部品について温度を測定するために、従来、回路基板上にサーミスタ素子を温度センサとして実装しているものがある。
【０００３】
例えば、特許文献１には、電子回路基板に雰囲気の温度検知を行うサーミスタ素子である温度検知素子を実装し、熱伝導抑制手段により電子回路基板の周辺回路と温度検知素子との熱伝導を抑制する電子回路基板が提案されている。この電子回路基板では、測定対象である電子部品が実装される同じ電子回路基板にサーミスタ素子を実装し、雰囲気を温度検知することで、温度管理を行うものである。なお、熱伝導抑制手段としては、サーミスタ素子の配線パターンを除いて回路基板の各層で配線パターンに用いられる銅箔等の金属膜を削除した構造が採用されている。
【０００４】
また、特許文献２には、被検知体の表面温度を非接触で測定するサーミスタ素子を用いた温度センサが提案されている。この温度センサは、例えば電子写真システムのヒートローラ等の被検知体に対して裏面側に赤外線吸収性ガラスで溶封されたサーミスタ素子を被検知体に近接配置し、赤外線輻射によって非接触で被検知体の温度測定を行うものである。
【先行技術文献】
【特許文献】
【０００５】
【特許文献１】特開２００２−１４１６２２号公報
【特許文献２】特開２００４−２０５４１７号公報
【発明の概要】
【発明が解決しようとする課題】
【０００６】
上記従来の技術には、以下の課題が残されている。
すなわち、特許文献１では、測定対象の電子部品が実装される同じ回路基板上に温度センサであるサーミスタ素子を実装して雰囲気の温度を測定しているが、この場合、回路基板上に実装されている特定の電子部品の温度を個別に測定することができない。
また、回路基板に実装される電子部品の中には、発熱により高温になることから放熱のために金属膜による放熱面に接触させて実装されたものがある。この場合、放熱面があるため、温度センサを測定対象の電子部品に近接させて実装させることができない。したがって、特許文献２に記載の温度センサのように、被検知体に近接させて実装させることができず、温度センサを電子部品から距離を空けて実装しなければならず、温度測定の誤差が大きくなってしまう不都合があった。
【０００７】
本発明は、前述の課題に鑑みてなされたもので、回路基板上の電子部品から離間して実装されても高精度に該電子部品の温度測定が可能な温度センサを提供することを目的とする。
【課題を解決するための手段】
【０００８】
本発明は、前記課題を解決するために以下の構成を採用した。すなわち、本発明の温度センサは、回路基板上の電子部品から離間して前記回路基板上に実装され前記電子部品の温度を測定する温度センサであって、チップ状の基体と、該基体の表面にサーミスタ薄膜で別々に形成された基準部及び検出部と、前記基体に形成され前記基準部及び前記検出部にそれぞれ接続された複数の電極と、を備え、前記基準部が、遮光膜で覆われ、前記検出部が、前記回路基板上に実装された状態で前記電子部品から放射される赤外線を直接又は光学部材を介して検出可能とされていることを特徴とする。
【０００９】
この温度センサでは、検出部が回路基板上に実装された状態で電子部品から放射される赤外線を直接又は光学部材を介して検出可能とされているので、検出部を直接又は光学部材を介して測定対象である電子部品に向けて実装することで、電子部品から放射される赤外線のみを検出部で検出する。また、遮光膜で覆われて赤外線を遮断した基準部で測定した温度を、回路基板から伝導された熱による温度上昇分として考慮し、検出部と基準部との差分を求めることで、電子部品の正確な温度測定が可能になる。また、チップ状の基体に基準部と検出部とが形成されているため、電子部品に対して検出部又は光学部材の向きを設定した状態で回路基板上に容易に表面実装可能である。
【００１０】
また、本発明の温度センサは、前記基体の下面が前記回路基板上への実装面とされていると共に前記基体の上面に前記基準部と前記検出部とが形成され、前記検出部の表面に、前記光学部材として透明部材が固定され、該透明部材の露出表面のうち、一つの側面以外が遮光膜で覆われていることを特徴とする。
すなわち、この温度センサでは、検出部の表面に、光学部材として透明部材が固定され、透明部材の露出表面のうち、一つの側面以外が遮光膜で覆われているので、透明部材の遮光膜で覆われていない側面を電子部品に向けることで、電子部品からの赤外線を該側面から入射させると共に透明部材の下面から検出部へ導いて温度検出を行うことができる。このように、透明部材の遮光膜で覆われていない側面を窓部とすることで、赤外線検出に指向性を持たせることができ、検出部が上面に形成されていても、正確に測定対象の電子部品の温度測定が可能になる。
【００１１】
また、本発明の温度センサは、前記基体の下面が前記回路基板上への実装面とされていると共に前記基体の一つの側面に前記基準部と前記検出部とが形成されていることを特徴とする。
すなわち、この温度センサでは、基体の下面が回路基板上への実装面とされていると共に基体の一つの側面に基準部と検出部とが形成されているので、側面に形成された検出部を直接電子部品に向けて実装することで、電子部品からの赤外線を指向性を持って検出部へ入射させることができる。
【発明の効果】
【００１２】
本発明によれば、以下の効果を奏する。
すなわち、本発明に係る温度センサによれば、基準部が、遮光膜で覆われ、検出部が回路基板上に実装された状態で電子部品から放射される赤外線を直接又は光学部材を介して検出可能とされているので、遮光された基準部と電子部品からの赤外線が入射可能な検出部との差分から電子部品の正確な温度を離間した位置で測定可能になる。
したがって、本発明の温度センサでは、回路基板上に広い放熱面が必要とされる電子部品であっても、放熱面を避けて同じ回路基板上に表面実装可能であると共に、電子部品から離間した位置でも非接触で温度測定可能となる。これにより、温度センサの回路基板に対する実装自由度が向上すると共に、電子部品の温度管理を高精度に行うことができる。
【図面の簡単な説明】
【００１３】
【図１】本発明に係る温度センサの第１実施形態を示す斜視図である。
【図２】第１実施形態において、温度センサを示す分解斜視図である。
【図３】第１実施形態において、温度センサの等価回路図である。
【図４】第１実施形態において、回路基板上に温度センサが実装された状態を示す要部の斜視図である。
【図５】本発明に係る温度センサの第２実施形態において、回路基板上に温度センサが実装された状態を示す要部の斜視図である。
【発明を実施するための形態】
【００１４】
以下、本発明に係る温度センサの第１実施形態を、図１から図４を参照しながら説明する。なお、以下の説明に用いる各図面では、各部材を認識可能又は認識容易な大きさとするために縮尺を適宜変更している。
【００１５】
本実施形態の温度センサ１は、図１から図４に示すように、回路基板２上の電子部品Ｅから離間して回路基板２上に実装され電子部品Ｅの温度を測定するチップ型温度センサであって、チップ状の基体３と、該基体３の表面にサーミスタ薄膜４で別々に形成された基準部５及び検出部６と、基体３に形成され基準部５及び検出部６にそれぞれ接続された複数の電極（金属電極９、共通電極端子部９ａ及び個別電極端子部９ｂ）と、を備えている。
【００１６】
上記電子部品Ｅは、例えば通電時に発熱を伴うＩＣやパワートランジスタ等である。
また、上記回路基板２上には、電子部品Ｅから発生した熱を放熱させるための銅箔等の金属膜で形成された放熱面２ａが形成され、該放熱面２ａに電子部品Ｅが接触状態に実装されている。
【００１７】
上記基体３は、例えばＳｉ基板であり、下面が回路基板２上への実装面とされていると共に上面に基準部５と検出部６とが形成されている。
この基体３の上面には、下地層としてＳｉＯ２層（図示略）が形成されている。
上記基準部５及び検出部６は、それぞれＳｉＯ２層上に成膜されたサーミスタ薄膜４と、サーミスタ薄膜４及びＳｉＯ２層上にパターン形成された金属電極９と、ＳｉＯ２層、金属電極９及びサーミスタ薄膜４を覆うパッシベーション膜（図示略）と、を備えたサーミスタ素子である。
【００１８】
上記サーミスタ薄膜４は、例えばＭｎ−Ｃｏ系複合金属酸化物（例えば、Ｍｎ３Ｏ４−Ｃｏ３Ｏ４系複合金属酸化物）又はＭｎ−Ｃｏ系複合金属酸化物にＮｉ、Ｆｅ、Ｃｕの少なくとも一種類を含む複合金属酸化物（例えば、Ｍｎ３Ｏ４−Ｃｏ３Ｏ４−Ｆｅ２Ｏ３系複合金属酸化物）からなる複合金属酸化物膜である。
上記金属電極９は、櫛形電極等の電気抵抗測定用の金属電極である。なお、図中は、簡略化して図示している。
上記パッシベーション膜は、例えばＳｉＯ２膜からなる。なお、絶縁性を有して外部雰囲気を遮断可能であれば、ＳｉＯ２膜の代わりにガラス、セラミックス、耐熱樹脂等の絶縁性膜でも構わない。
【００１９】
上記基準部５は、リファレンス用であって、表面が遮光膜７で覆われている。
また、上記検出部６は、赤外線検出用センサ部であって、光学部材として透明部材８が表面に固定され、回路基板２上に実装された状態で電子部品Ｅから放射される赤外線を透明部材８を介して検出可能とされている。
該透明部材８は、直方体形状の透明ガラスで形成されていると共に露出表面のうち、一つの側面８ａ以外が遮光膜７で覆われている。
【００２０】
上記遮光膜７は、赤外線を遮光可能であれば種々の膜材料を用いることができ、例えばアルミニウム蒸着膜や黒体となる窒化アルミニウムなどが採用可能である。
上記基準部５及び検出部６の金属電極９は、サーミスタ薄膜４の外部に延在され、図３に示すように、互いに共通した共通電極端子部９ａと、個別に設けられた２つの個別電極端子部９ｂと、に接続されている。なお、共通電極端子部９ａ及び個別電極端子部９ｂは、例えば基体３の下面又は側面に形成され、図示しないスルーホール又は表面若しくは側面の電極パターンを介して上記各金属電極９と電気的に接続されている。
【００２１】
この温度センサ１を回路基板２上に実装する際、図４に示すように、放熱面２ａを隔てて電子部品Ｅから離間した位置に温度センサ１が設置される。このとき、透明部材８の遮光膜７で覆われていない側面８ａを測定対象の電子部品Ｅに向けて温度センサ１を実装する。
【００２２】
このように本実施形態の温度センサ１では、検出部６が回路基板２上に実装された状態で電子部品Ｅから放射される赤外線を透明部材８を介して検出可能とされているので、検出部６を透明部材８を介して測定対象である電子部品Ｅに向けて実装することで、電子部品Ｅから放射される赤外線のみを検出部６で検出する。
【００２３】
すなわち、検出部６の表面に、光学部材として透明部材８が固定され、透明部材８の露出表面のうち、一つの側面８ａ以外が遮光膜７で覆われているので、透明部材８の遮光膜７で覆われていない側面８ａを電子部品Ｅに向けることで、電子部品Ｅからの赤外線を該側面８ａから入射させると共に透明部材８の下面から検出部６へ導いて温度検出を行うことができる。このように、透明部材８の遮光膜７で覆われていない側面８ａを窓部とすることで、赤外線検出に指向性を持たせることができ、検出部６が上面に形成されていても、正確に測定対象の電子部品Ｅの温度測定が可能になる。
【００２４】
また、遮光膜７で覆われて赤外線を遮断した基準部５で測定した温度を、回路基板２から伝導された熱による温度上昇分として考慮し、検出部６と基準部５との差分を求めることで、電子部品Ｅの正確な温度測定が可能になる。
さらに、チップ状の基体３に基準部５と検出部６とが形成されているため、電子部品Ｅに対して透明部材８の向きを設定した状態で回路基板２上に容易に表面実装可能である。
なお、検出部６と基準部５とがどちらもサーミスタ薄膜４で形成されているので、熱容量が小さく、高い応答性を得ることができる。
【００２５】
次に、本発明に係る温度センサの第２実施形態について、図５を参照して以下に説明する。なお、以下の実施形態の説明において、上記実施形態において説明した同一の構成要素には同一の符号を付し、その説明は省略する。
【００２６】
第２実施形態と第１実施形態との異なる点は、第１実施形態では、表面実装された基体３の上面に基準部５及び検出部６が形成されているのに対し、第２実施形態の温度センサ１１では、図５に示すように、基体１３の下面が回路基板２上への実装面とされていると共に基体１３の一つの側面１３ａに基準部５と検出部６と金属電極９とが形成され、電子部品Ｅからの赤外線を検出部６で直接検出する点である。
【００２７】
すなわち、第２実施形態では、検出部６に透明部材８が固定されておらず、直接側面１３ａに露出している。
また、基準部５及び検出部６の外側の各端部には、それぞれ側面に形成された個別電極端子部９ｂに接続された金属電極９が形成されている。さらに、基準部５と検出部６との互いに対向する各端部には、下面に形成された同一の共通電極端子部９ａに接続された金属電極９が形成されている。
【００２８】
なお、基体１３の下面、すなわち実装面の面積が、側面１３ａに基準部５及び検出部６を形成する基体１３の作製工程上又は構造上、十分に確保できない場合、側面１３ａの反対側の側面に実装面のより広いサブマウント部材を接着して全体として十分な実装面を確保して接着固定しても構わない。
【００２９】
このように第２実施形態の温度センサ１１では、基体１３の下面が回路基板２上への実装面とされていると共に基体１３の一つの側面１３ａに基準部５と検出部６とが形成されているので、側面１３ａに形成された検出部６を直接電子部品Ｅに向けて実装することで、電子部品Ｅからの赤外線を指向性を持って検出部６へ直接入射させることができる。
また、チップ状の基体１３の側面１３ａに基準部５と検出部６とが形成されているため、電子部品Ｅに対して検出部６の向きを設定した状態で回路基板２上に容易に表面実装可能である。
【００３０】
なお、本発明の技術範囲は上記各実施形態に限定されるものではなく、本発明の趣旨を逸脱しない範囲において種々の変更を加えることが可能である。
例えば、上記第１実施形態では、側方に位置する電子部品からの赤外線を基体上面の検出部に導く光学部材として直方体形状の透明ガラスからなる透明部材を用いているが、他の形状や材料による光学部材を採用しても構わない。例えば、窓部となる側面の反対側の側面が検出部側に傾斜した傾斜面とされた透明部材を光学部材として採用してもよい。この場合、窓部の側面から入射された赤外線を反対側の側面で下面の検出部に向けて反射させることができ、より効率的に検出することが可能になる。
【符号の説明】
【００３１】
１，１１…温度センサ、２…回路基板、３，１３…基体、４…サーミスタ薄膜、５…基準部、６…検出部、７…遮光膜、８…透明部材（光学部材）、８ａ…透明部材の側面、９…金属電極、９ａ…共通電極端子部、９ｂ…個別電極端子部、１３ａ…基体の側面、Ｅ…電子部品
【図１】
2010197162.tif 000003
【図２】
2010197162.tif 000004
【図３】
2010197162.tif 000005
【図４】
2010197162.tif 000006
【図５】
2010197162.tif 000007